(57)【要約】【課題】外気導入用のダクトに拡開部を備えたノズルを設けると共に、同ノズルに補助ファンを設けてなる外気導入装置を備えた空気調和機を提供する。【解決手段】据付板２に連通孔２ａを、ベース６に吸気孔６ａを夫々設け、前記連通孔２ａの周縁に、壁孔Ｃを挿通してダクトの一端に接続される接続部Ｄを備えたダクトフランジ１５を取り付けると共に、前記吸気孔６ａと後部熱交換器１１との間に、一端に接続口２０を備え、他端に連通口２１を備えると共に、同連通口２１に係止爪２２を一体成形したディフューザ２３を設けると共に、同ディフューザ２３の前端周縁に、前記後部熱交換器１１との間をシールするシール部材２５を設け、前記ダクトの他端に設けられた拡開部１７を備えたノズル１８に、外気を導入する補助ファン１９と集塵用のフィルタ２６とファンガード２７とを設けた。【選択図】  図１
2004271145.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、前記ダクトにより導入された外気を前記後部熱交換器へ導くディフューザを設けると共に、同ディフューザの前端周縁に、前記後部熱交換器との間をシールするシール部材を、前記ダクトの他端に開口面積を拡開させる拡開部を備えたノズルを夫々設け、前記吸気孔と前記後部熱交換器との間に、前記ノズルおよび前記ダクトにより導入された外気を前記後部熱交換器へ導くディフューザを設けると共に、前記ノズルに外気を導入する補助ファンを設けてなることを特徴とする空気調和機。
【請求項２】
前記ノズルに、集塵用のフィルタを設けてなることを特徴とする請求項１に記載の空気調和機。
【請求項３】
前記ノズルに、前記補助ファンを臨ませたファンガードを設けてなることを特徴とする請求項１に記載の空気調和機。
【請求項４】
前記シール部材が弾性を有する部材からなることを特徴とする請求項１に記載の空気調和機。
【請求項５】
前記ディフューザまたは前記ダクトフランジに、外気の流通路を開閉する開閉板を設けてなることを特徴とする請求項１に記載の空気調和機。
【発明の詳細な説明】
【０００１】
【発明の属する技術分野】
本発明は、空気調和機に係わり、より詳細には、外気導入用のダクトに拡開部を備えたノズルを設けると共に、同ノズルに補助ファンを設けてなる外気導入装置を備えた構造に関する。
【０００２】
【従来の技術】
従来の外気導入装置を備えた空調機器として、室温の制御と本体に外気を導入する制御とを関連づけることで本体の運転中に室内の空気の換気が行なえ、且つ室温の制御が効率的に行なえるものを提供するため、換気用ファンによって本体内部に吸い込まれた外気がクロスフローファンにより本体の空気吹出口から吹き出されるので室内の換気が行なえ、また、クロスフローファンの回転速度や室温と設定温度との差に応じて、換気用ファンの回転速度を制御することで、室温の制御と本体に外気を導入する制御とを関連づけているものがあり、外気を導入する換気ダクトの開口部近傍に換気用ファンを備えた構成が図示されていた（例えば、特許文献１参照。）。
【０００３】
しかしながら、前記換気ダクトは、例えばその開口部を拡開させるためのノズルを設けた構成ではないことから、必ずしも外気を効率よく導入するのに好適な構造であるとはいえず、また、拡開されていない開口部近傍に換気用ファンを設置しているので、該箇所の実質的な開口面積が大きくとれなくなり、外気を導入する換気用ファンの機能が有効に発揮されにくくなってしまうという問題点を有していた。
【０００４】
【特許文献１】
特開２００２−１１５８８８号公報（第１頁、第２図）
【０００５】
【発明が解決しようとする課題】
本発明においては、上記の問題点に鑑み、外気導入用のダクトに拡開部を備えたノズルを設けると共に、同ノズルに補助ファンを設けてなる外気導入装置を備えた空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、前記ダクトにより導入された外気を前記後部熱交換器へ導くディフューザを設けると共に、同ディフューザの前端周縁に、前記後部熱交換器との間をシールするシール部材を、前記ダクトの他端に開口面積を拡開させる拡開部を備えたノズルを夫々設け、前記吸気孔と前記後部熱交換器との間に、前記ノズルおよび前記ダクトにより導入された外気を前記後部熱交換器へ導くディフューザを設けると共に、前記ノズルに外気を導入する補助ファンを設けてなる構成となっている。
【０００７】
また、前記ノズルに、集塵用のフィルタを設けてなる構成となっている。
【０００８】
また、前記ノズルに、前記補助ファンを臨ませたファンガードを設けてなる構成となっている。
【０００９】
また、前記シール部材が弾性を有する部材からなる構成となっている。
【００１０】
更に、前記ディフューザまたは前記ダクトフランジに、外気の流通路を開閉する開閉板を設けてなる構成となっている。
【００１１】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部斜視図で、（Ａ）はディフューザの斜視図、（Ｂ）はディフューザの係止爪および後部熱交換器のフィンの斜視図であり、図３は本発明による空気調和機の要部説明図で、（Ａ）は断面図、（Ｂ）は斜視図である。
【００１２】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１３】
前記本体Ａは、背面上部に前記据付板２の係止爪１に係脱可能に係止される係止部３を備え、背面下部に接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１４】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部Ｄを備えたダクトフランジ１５が、前記ねじ孔にねじ締めされることによって取り付けられている。
【００１５】
同時に、前記据付板２および前記ベース６の間には、前記連通孔２ａおよび前記吸気孔６ａを連通した状態でシールするシール部材１６が介装されることにより、該箇所の気密性を高めて導入された外気が漏れないように構成されている。
【００１６】
また、前記ダクト１４の他端には、開口面積を拡開させる拡開部１７を備えたノズル１８が設けられ、同ノズル１８の拡開部１７には外気を導入するための補助ファン１９が設けられ、前記吸気孔６ａと前記後部熱交換器１１との間には、一端に前記吸気孔６ａに接続される接続口２０を備え、他端に同接続口２０よりも大径で形成された連通口２１を備えると共に、同連通口２１には前記後部熱交換器１１の伝熱管１１ａ  に係止する係止爪２２を一体に形成したディフューザ２３が設けられた構成になっている。
【００１７】
前記係止爪２２は、図１（Ａ）および図１（Ｂ）で示すように、前記後部熱交換器１１に対し前記ディフューザ２３を上方から組み付けて前記伝熱管１１ａ  に係止されるように形成されているので、前記ベースに設けた吸気孔６ａと前記後部熱交換器１１との間に、外気導入用の前記ディフューザ２３を容易に、且つ正確に取り付けることができるようになっている。
【００１８】
前記ノズル１８の開口部には、前記補助ファン１９を臨ませた集塵用のフィルタ２６およびファンガード２７が順次設けられており、前記フィルタ２６により外気中に含まれた塵埃を除去すると共に、前記ファンガード２７によって前記補助ファン１９に手指が触れてしまう事故が生じないようになっている。
【００１９】
また、前記ノズル１８は前記拡開部１７を備えた構成になっているので、同ノズル１８の開口部を拡大して外気を効率よく導入できるようになって、前記フィルタ２６および前記ファンガード２７を設けたことで空気抵抗が増大したとしても、該箇所からの外気の吸込量をあまり低減させないようにして、前記ダクト１４を経て導き入れた外気を前記ディフューザ２３から前記後部熱交換器１１へ効率よく流通させることができるようになっている。
【００２０】
なお、前記ノズル１８は、前記拡開部１７を備えたことによって、前記ダクト１４よりも大径でなる前記補助ファン１９を容易に取り付けることができるようになっており、同補助ファン１９および前記送風ファン１３による負圧によって外気を効果的に導入できるようになっている。
【００２１】
そして、図１（Ｂ）と、図２（Ａ）および図２（Ｂ）とで示すように、前記ディフューザ２３の前端周縁に、前記後部熱交換器１１との間をシールするシール部材２５を設けることによって、該箇所の機密性を高めることができるようになり、前記補助ファン１９および前記送風ファン１３による負圧を最大限に利用して外気の流通性能を向上させることができるようになっている。
【００２２】
なお、前記シール部材２５は弾性を有する部材からなる構成になっているので、前記ディフューザ２３の前端周縁と、前記後部熱交換器１１との間を効果的にシールできるようになるので、該箇所の機密性を高めるのに有効である。
【００２３】
また、前記ダクトフランジ１５は、前記据付板２の連通孔２ａの周縁にねじ締めされて取り付けられたのち、前記接続部Ｄが前記壁孔Ｃを挿通するように構成されているので、本体Ａが取り扱いやすくなり、例えば本体Ａを構成する前記ベース６の吸気孔６ａに取り付けられた場合に比べて据え付けのための作業性が大幅に改善されることになる。
【００２４】
また、前記ディフューザ２３または前記ダクトフランジ１５に、外気の流通路を開閉する開閉板２６を設けることにより、換気運転をしたくない場合に前記ディフューザ２３または前記ダクトフランジ１５を閉塞できるようにしてもよい。
【００２５】
なお、図３（Ａ）によって、前記ダクトフランジ１５に前記開閉板２８を設けた構成が示しており、前記ディフューザ２３に前記開閉板２８を設けた構成については類似しているので図を省略している。
【００２６】
そして、前記ダクトフランジ１５および前記ダクト１４にシート状の断熱部材２４が巻着されることにより、該箇所で室内空気と外気とが混じることによって結露が発生してしまうということがないようにしている。
【００２７】
【発明の効果】
以上説明したように、本発明によれば、外気導入用のダクトに拡開部を備えたノズルを設けると共に、同ノズルに補助ファンを設けてなる外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部斜視図で、（Ａ）はディフューザの斜視図であり、（Ｂ）はディフューザの係止爪および後部熱交換器のフィンの斜視図である。
【図３】本発明による空気調和機の要部説明図で、（Ａ）は断面図であり、（Ｂ）は斜視図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２４  断熱部材
２５  シール部材
２６  フィルタ
２７  ファンガード
２８  開閉板
Ａ  本体
Ｂ  壁面
Ｃ  壁孔
Ｄ  接続部
【図１】
2004271145.tif 000003
【図２】
2004271145.tif 000004
【図３】
2004271145.tif 000005